(57)【要約】【課題】定置式のエアコンプレッサは、床や作業台等に設置した状態でのみ作動させて外部のエア工具に圧縮エアを供給可能とすることが望ましく、持ち運び時等であって、設置状態でない場合には外部のエア工具の不用意な動作を防止する必要から圧縮エアを供給不能とすることが望ましい。本発明は、ＤＣ式かつ定置式のエアコンプレッサにおいて、持ち運び時等であって設置状態でない場合には接続した外部のエア工具の不用意な動作を防止できるようすることを目的とする。【解決手段】設置面Ｆに対するエアコンプレッサ１の設置状態または非設置状態を検知する設置検知手段４０を備えている。エアコンプレッサ１の非設置状態では、変位端４１ｂと検知部４４ａが離間してプランジャ４４ｂの押し込みが止められ、スイッチ４４が非設置状態を検知する。非設置状態を検知している場合、エアコンプレッサ１としての機能を停止させる。【選択図】図５
2020033969.tif 000002
【特許請求の範囲】
【請求項１】
設置面に設置した状態で動作させて生成した圧縮エアを外部のエア工具に供給する定置式のエアコンプレッサであって、
圧縮エアを生成する圧縮エア生成部の駆動源である電動モータと、設置面に対する該エアコンプレッサの設置状態または非設置状態を検知する設置検知手段を備えており、
前記電動モータは、繰り返し充電可能なバッテリから電源供給されており、
前記設置検知手段が前記非設置状態を検知している場合、該エアコンプレッサとしての機能を停止させる構成としたエアコンプレッサ。
【請求項２】
請求項１に記載のエアコンプレッサであって、
前記設置検知手段が前記非設置状態を検知している場合、前記電動モータへの電源供給を遮断して前記圧縮エア生成部の動作を停止させる構成としたエアコンプレッサ。
【請求項３】
請求項１または２に記載のエアコンプレッサであって、
前記圧縮エア生成部により生成された圧縮エアを貯蔵するタンクを備えており、
前記設置検知手段が前記非設置状態を検知している場合、前記タンク内の圧縮エアを大気放出するエアコンプレッサ。
【請求項４】
請求項１〜３のいずれか１項に記載したエアコンプレッサであって、
前記設置検知手段が前記非設置状態を検知している場合、該非設置状態を使用者に報知する報知手段を備えるエアコンプレッサ。
【請求項５】
請求項１〜４のいずれか１項に記載したエアコンプレッサであって、
使用者が持ち運ぶときの把持部であるハンドルが設けられており、
前記設置検知手段は、前記ハンドルに掛かる力の状態を検知して、前記設置状態と前記非設置状態を判別する構成としたエアコンプレッサ。
【請求項６】
請求項５に記載のエアコンプレッサであって、
前記設置検知手段は、前記ハンドルの変位を検知するエアコンプレッサ。
【請求項７】
請求項６に記載のエアコンプレッサであって、
前記ハンドルは、一端が上下方向に傾動可能に支持されて、他端が上下方向に変位可能であり、
前記設置検知手段は、前記他端の上下方向の変位を検知するエアコンプレッサ。
【請求項８】
請求項７に記載のエアコンプレッサであって、
前記ハンドルの少なくとも前記他端側に肩掛けベルトを取り付け可能であり、
前記設置検知手段は、使用者が前記肩掛けベルトで持ち運ぶことにより発生する前記他端の上下方向の変位を検知するエアコンプレッサ。
【請求項９】
請求項１〜８のいずれか１項に記載したエアコンプレッサであって、
前記バッテリからの電源供給のオンオフ状態を制御する電源制御部を備えており、
前記設置検知手段が前記非設置状態を検知している場合、前記電源制御部は前記電源供給をオフ状態にするエアコンプレッサ。
【請求項１０】
請求項１〜９のいずれか１項に記載したエアコンプレッサであって、
前記設置検知手段は、設置面と対向する位置に検知部材を備えており、
前記検知部材が設置面に対して一定以下の距離に近接している場合に、前記設置状態を検知し、前記検知部材が設置面から一定以上の距離に離間している場合に、前記非設置状態を検知するエアコンプレッサ。
【発明の詳細な説明】
【技術分野】
【０００１】
本発明は、例えば圧縮エア駆動式の釘打機やエアタッカ等の工具に圧縮エアを供給するためのエアコンプレッサであって、床や作業台等の設置面に設置して使用される定置式のエアコンプレッサに関する。
【背景技術】
【０００２】
特許文献１に記載のエアコンプレッサは、繰り返し充電可能であるバッテリを電源とするＤＣ式のエアコンプレッサである。エアコンプレッサには、電動モータと、電動モータのモータ軸に連結されるクランクと、クランクに連結されてシリンダ内を往復動可能に設けられたピストンが備えられている。バッテリから電動モータへと電源供給されており、電動モータの駆動がクランクを介してシリンダ内のピストンを往復動させることで圧縮エアを生成する。生成した圧縮エアは、例えば圧縮エア駆動式の釘打機やエアタッカ等の工具に供給される。近年ではバッテリや電動モータの性能の向上等により、圧縮エアをタンクに貯蔵し、床や作業台等の設置面に設置して使用されるＤＣ式かつ定置式のエアコンプレッサが提供されている。
【先行技術文献】
【特許文献】
【０００３】
【特許文献１】特開２０１２−１１２２８２号公報
【発明の概要】
【発明が解決しようとする課題】
【０００４】
上記した定置式のエアコンプレッサは、床や作業台等に設置した状態でのみ作動させて外部のエア工具に圧縮エアを供給可能とすることが望ましく、持ち運び時等であって、設置状態でない場合には外部のエア工具の不用意な動作を防止する必要から圧縮エアを供給不能とすることが望ましい。
【０００５】
本発明は、ＤＣ式かつ定置式のエアコンプレッサにおいて、持ち運び時等であって設置状態でない場合には接続した外部のエア工具の不用意な動作を防止できるようにすることを目的とする。
【課題を解決するための手段】
【０００６】
第１の発明は、設置面に設置した状態で動作させて生成した圧縮エアを外部のエア工具に供給する定置式のエアコンプレッサである。第１の発明は、圧縮エアを生成する圧縮エア生成部の駆動源である電動モータと、設置面に対するエアコンプレッサの設置状態または非設置状態を検知する設置検知手段を備えている。第１の発明において、電動モータは、繰り返し充電可能なバッテリから電源供給されている。第１の発明において、設置検知手段が非設置状態を検知している場合、エアコンプレッサとしての機能を停止させる。ここで、エアコンプレッサとしての機能とは、バッテリから電動モータへの電源供給機能や、電動モータの駆動による圧縮エア生成部における圧縮エア生成機能や、生成した圧縮エアを貯留する機能や、生成した圧縮エアを外部のエア工具に送る供給機能といった、電源供給を受けて外部のエア工具に圧縮エアが供給されるまでの一連の機能を含むものであり、これらのうち一部若しくは一つの機能を停止させることにより、当該エアコンプレッサとしての機能を停止させることができる。
【０００７】
第１の発明によれば、使用者がエアコンプレッサを持ち運びしているとき等の非設置状態の場合、エアコンプレッサとしての機能を停止させることにより、圧縮エア生成部の不用意な動作や、接続した外部のエア工具の不用意な動作等が防止される。
【０００８】
第２の発明は、第１の発明において、設置検知手段が非設置状態を検知している場合、電動モータへの電源供給を遮断して圧縮エア生成部の動作を停止させる。
【０００９】
第２の発明によれば、電動モータへの電源供給が遮断されて圧縮エア生成部が停止されることにより、エアコンプレッサとしての機能が停止される。
【００１０】
第３の発明は、第１または第２の発明において、圧縮エア生成部により生成された圧縮エアを貯蔵するタンクを備えているエアコンプレッサである。第３の発明において、設置検知手段が非設置状態を検知している場合、タンク内の圧縮エアを大気放出する。
【００１１】
第３の発明によれば、タンク内の圧縮エアが大気放出されることにより、エアコンプレッサとしての機能が停止される。
【００１２】
第４の発明は、第１〜第３のいずれか１つの発明において、設置検知手段が非設置状態を検知している場合、非設置状態を使用者に報知する報知手段を備えるエアコンプレッサである。
【００１３】
第４の発明によれば、エアコンプレッサとして機能可能であるか不能であるかについて、使用者に容易に知らせることができる。また、第４の発明によれば、エアコンプレッサの設置状態について使用者が容易に確認することができる。
【００１４】
第５の発明は、第１〜第４のいずれか１つの発明において、使用者が持ち運ぶときの把持部であるハンドルが設けられているエアコンプレッサである。第５の発明において、設置検知手段は、ハンドルに掛かる力の状態を検知して、設置状態と非設置状態を判別する。
【００１５】
第５の発明によれば、特に使用者によるエアコンプレッサの持ち運び時に把持されるハンドルに掛かる力の状態（ハンドルに掛かる力の有無）を検知して、エアコンプレッサの設置状態または非設置状態を判別する。これにより、設置状態または非設置状態を比較的精度良く検知することができる。
【００１６】
第６の発明は、第５の発明において、使用者が持ち運ぶときの把持部であるハンドルが設けられているエアコンプレッサである。第６の発明において、設置検知手段はハンドルの変位を検知する。
【００１７】
第６の発明によれば、ハンドルに掛かる力の状態の変化を示すハンドルの変位が設置検知手段により検知される。これにより、設置状態または非設置状態をよりシンプルな構成で比較的精度良く検知することができる。
【００１８】
第７の発明は、第６の発明において、ハンドルの一端が上下方向に傾動可能に支持され、他端が上下方向に変位可能であるエアコンプレッサである。第７の発明において、設置検知手段は他端の上下方向の変位を検知する。
【００１９】
第７の発明によれば、把持部は、エアコンプレッサを支持する強度を保ちつつ、設置検知手段を備えることができる。また、第７の発明によれば、エアコンプレッサを持ち上げる途中段階や設置面に降ろす途中段階も含めて非設置状態として検知することができる。
【００２０】
第８の発明は、第７の発明において、ハンドルの少なくとも他端側に肩掛けベルトを取り付け可能であるエアコンプレッサである。第８の発明において、設置検知手段は、使用者が肩掛けベルトで持ち運ぶことにより発生する他端の上下方向の変位を検知する。
【００２１】
第８の発明によれば、肩掛けベルトを使用してエアコンプレッサを持ち運びする場合でも、ハンドルに設けられた設置検知手段をそのまま機能させることができる。
【００２２】
第９の発明は、第１〜第８のいずれか１つの発明において、バッテリからの電源供給のオンオフ状態を制御する電源制御部を備えているエアコンプレッサである。第９の発明において、設置検知手段が非設置状態を検知している場合、電源制御部は電源供給をオフ状態にする。
【００２３】
第９の発明によれば、非設置状態の場合に電源制御部において電源供給が遮断されることにより、圧縮エア生成部２０での圧縮エアの生成が停止される。従って、エアコンプレッサ１としての機能が停止される。
【００２４】
第１０の発明は、第１〜第９のいずれか１つの発明において、設置検知手段が、設置面と対向する位置に検知部材を備えたエアコンプレッサである。第１０の発明において、検知部材が設置面に対して一定以下の距離に近接している場合に、設置状態を検知し、検知部材が設置面から一定以上の距離に離間している場合に、非設置状態を検知する。検知部材が設置面に対して一定以下の距離に近接している場合は、例えば検知部材が設置面と当接している場合も含む。
【００２５】
第１０の発明によれば、検知部材と設置面との距離によって、設置状態若しくは非設置状態の判別がなされる。
【図面の簡単な説明】
【００２６】
【図１】本発明に係るエアコンプレッサの全体斜視図である。
【図２】第１実施形態に係るエアコンプレッサのハウジングを取り外した斜視図である。
【図３】第１実施形態に係るエアコンプレッサの載置状態における右側面図であって、一部縦断面図である。
【図４】図３のＩＶ部分の拡大図である。
【図５】第１実施形態に係るエアコンプレッサの運搬状態における右側面図であって、一部縦断面図である。
【図６】図５のＶＩ部分の拡大図である。
【図７】第２実施形態に係るエアコンプレッサのハウジングを取り外した斜視図である。
【図８】第２実施形態に係るエアコンプレッサの載置状態における右側面図であって、一部縦断面図である。
【図９】第２実施形態に係るエアコンプレッサの載置状態における正面図であって、一部縦断面図である。
【図１０】第２実施形態に係るエアコンプレッサの運搬状態における右側面図であって、一部縦断面図である。
【図１１】第２実施形態に係るエアコンプレッサの運搬状態における正面図であって、一部縦断面図である。
【発明を実施するための形態】
【００２７】
次に、本発明の第１実施形態を図１〜６に基づいて説明する。図１〜３に示すように定置式のエアコンプレッサ１は、全体を外装するハウジング２と、圧縮エアを貯蔵可能な横長形状のタンク４を備えている。タンク４の下面側には、タンク４の長手方向両端部それぞれに脚部３が設けられ、脚部３を計４つ備えている。エアコンプレッサ１を床や作業台等の設置面Ｆに設置する場合、４つの脚部３でエアコンプレッサは支持される。タンク４の上方には、タンク４と連通している吐出口３４が設けられている。吐出口３４には、エアホースを接続させることができる。接続させたエアホースを介して、タンク４から釘打機等の圧縮空気で駆動する工具へと圧縮空気を供給することができる。以下の説明において、脚部３を下側にしてエアコンプレッサ１を設置した姿勢で上下方向を規定する。また、吐出口３４を前側として、前側に位置する使用者から見たときを基準として前後左右方向を規定する。
【００２８】
図２，３に示すように、エアコンプレッサ１は、タンク４の上方に圧縮エア生成部２０を備えている。圧縮エア生成部２０は、駆動源である電動モータ１６と吸気された外気を圧縮するピストン２４を備えている。電動モータ１６は、モータ軸１６ａを前方に延ばした姿勢でモータハウジング１５に収容されている。モータ軸１６ａには駆動ギヤ１６ｂと冷却ファン１６ｃが一体に取り付けられている。駆動ギヤ１６ｂには、ギヤハウジング１７に収容されている減速部１８の従動ギヤ１８ｂが噛み合っている。従動ギヤ１８ｂは、ギヤハウジング１７に回転可能に支持されている出力軸１８ａと一体に設けられている。出力軸１８ａの前部は、クランクハウジング２１内に進入しており、当該前部にはクランク円板２２が取り付けられている。クランク円板２２には、出力軸１８ａに対して偏心しているクランク軸２２ａが設けられている。クランク軸２２ａには、クランクロッド２３の基端部が相対回転可能に支持されている。クランクロッド２３の先端部にはピストン２４が取り付けられている。クランクハウジング２１の上部には、上下方向に延びるシリンダ２５が気密に取り付けられている。ピストン２４は、シリンダ２５内を気密に往復動可能に支持されている。シリンダ２５の上部のピストン上室は、通気管２６と連通している。通気管２６は、タンク４内と連通している。
【００２９】
電動モータ１６が起動すると、駆動ギヤ１６ｂと従動ギヤ１８ｂの噛み合いによって電動モータ１６の回転出力は減速される。減速された回転出力は、出力軸１８ａを介してクランク円板２２を回転させる。クランク円板２２が回転すると、クランク軸２２ａが出力軸１８ａ回りを公転する。これにより、クランクロッド２３が上下に運動し、ピストン２４がシリンダ２５内を上下に往復動する。ピストン２４の往復動によってシリンダ２５のピストン上室に外気が給気されて圧縮エアが生成される。生成された圧縮エアは、通気管２６を介してタンク４内に供給される。
【００３０】
図２，３に示すように、エアコンプレッサ１の前部には、圧縮エア供給部３０が設けられている。圧縮エア供給部３０は、圧力調整部３１と圧力調整ダイヤル３２とメータ３３と吐出口３４を備えている。圧力調整ダイヤル３２とメータ３３は、上部に露出している。圧力調整ダイヤル３２は、使用者が回転操作可能に支持されている。吐出口３４は、ハウジング２の前端から前方に突出している。圧力調整部３１は、タンク４内と吐出口３４とが連通している経路途中に設けられている。圧力調整ダイヤル３２を回転操作すると、圧力調整部３１は、タンク４内の圧縮エアを減圧させて吐出口３４へと供給することができる。圧力調整部３１で減圧した圧縮エアの圧力は、メータ３３に表示される。
【００３１】
図２，３に示すように、エアコンプレッサ１の後部には、電動モータ１６へ電源供給するバッテリ１３を着脱可能であるバッテリ取付部１２が設けられている。バッテリ１３はバッテリ取付部１２から取り外して別途用意した充電器で充電することにより繰り返し使用することができる。バッテリ１３は、ねじ締め機や電気ドリル等のその他の充電式電動工具との間で電源として使い回すことができる。バッテリ取付部１２に取り付けられたバッテリ１３から電動モータ１６への電源供給は、電源制御部１０とコントローラ１４によって制御されている。
【００３２】
図１，２に示すように電源制御部１０は、バッテリ１３から電動モータ１６やコントローラ１４や後述する電磁バルブ５１等の各種電材部品への電源供給を制御する。電源制御部１０は、ハウジング２の外部から押し操作可能な押しボタン１１を備えている。バッテリ１３からの電源供給がオフ状態の場合に押しボタン１１を押し操作することで、電源供給がオン状態に切り替えられる。バッテリ１３からの電源供給がオン状態の場合に押しボタン１１を押し操作することで、電源供給がオフ状態に切り替えられる。
【００３３】
図２，３に示すように、エアコンプレッサ１には、コントローラ１４が収容されている。コントローラ１４は、底浅の箱形矩形のケースで覆われている。コントローラ１４は、主として電動モータ１６の動作制御を行うための制御回路や電源回路を有している。コントローラ１４は、冷却ファン１６ｃの側方に配置されている。モータ軸１６ａが回転することで冷却ファン１６ｃが回転し、冷却風が発生する。冷却風は、電動モータを冷却しながら、冷却ファン１６ｃより下流側に位置するコントローラ１４を冷却する。
【００３４】
図２，３に示すように、タンク４の側部には、圧力センサ５が設けられている。圧力センサ５は、タンク４内の圧力が設定圧に達して充満状態であるか設定圧未満であるかを検知する。タンク４内の圧力が設定圧に達していることを検知した場合、コントローラ１４は電動モータ１６を停止させる。タンク４内の圧力が設定圧未満であることを検知した場合、コントローラ１４は電動モータ１６を起動可能状態にし、若しくは起動状態を継続する。
【００３５】
図１，２に示すように、タンク４の下側部には、ドレンコック６とドレン排出口６ａが設けられている。ドレン排出口６ａは、タンク４の内部と連通しており、やや下向きに開口している。ドレンコック６は、回動操作することでドレン排出口６ａを開閉する。エアコンプレッサ１を使用する場合は、ドレンコック６が閉じた状態で使用する。ドレンコック６を開くと、その開き量に応じてタンク４内に溜まったドレンと圧縮空気がドレン排出口６ａから排出される。
【００３６】
図２，３に示すように、タンク４の前部には、圧縮エア放出手段５０が設けられている。圧縮エア放出手段５０は、電磁バルブ５１と排出管５２を備えている。排出管５２は、電磁バルブ５１を介してタンク４内と連通している。電磁バルブ５１は、バッテリ１３とコントローラ１４とに電気的に接続されており、コントローラ１４の制御によってバッテリ１３から供給される電力によって開閉する。電磁バルブ５１が閉じている場合、排出管５２からタンク４内の圧縮エアは排出されない。電磁バルブ５１が開いている場合、排出管５２からタンク４内の圧縮エアが排出される。
【００３７】
図１，２に示すように、エアコンプレッサ１の上部には、ハンドル４１が設けられている。ハンドル４１は、ハウジング２の上面から上方に張り出したループ形状を有している。ハンドル４１は、使用者がエアコンプレッサ１を持ち運ぶときの把持部である。ハンドル４１の前部には、左右方向に貫通する軸孔４１ａが設けられている。軸孔４１ａには支軸４２が挿入されている。支軸４２の両端は、ハンドル４１の左右それぞれに突出している。ハンドル４１の後部下端は変位端４１ｂとして設けられている。変位端４１ｂには、左右方向に貫通し、上下方向に延びた略楕円形状の縦長軸孔４１ｃが設けられている。縦長軸孔４１ｃには支軸４３が挿入されている。支軸４３の両端は、ハンドル４１の左右それぞれに突出している。ハンドル４１は、支軸４２と支軸４３によってハウジング２に支持されている。
【００３８】
図２，３，５に示すようにハンドル４１の前部と後部には、ベルト取付部４１ｅがそれぞれ１つずつ設けられている。ベルト取付部４１ｅには、上側に開口した凹部と、当該凹部内で左右方向に延びて両端がハンドル４１に支持されている柱部が形成されている。図３，５に示すように、ベルト取付部４１ｅには、例えば両端に環状部を有する肩掛けベルト４６を取り付け可能である。使用者は、前後一対のベルト取付部４１ｅに肩掛けベルト４６を取り付けた状態で、肩掛けベルト４６を肩に掛けてエアコンプレッサ１を持ち運ぶことができる。
【００３９】
図４，６に示すように支軸４３は、縦長軸孔４１ｃに沿って変位端４１ｂに対して上下に位置変更可能である。支軸４３はハウジング２に変位不能に支持されている。そのためハウジング２に対して変位端４１ｂが上下に変位する。図４は変位端４１ｂが下端位置に位置する状態を示している。図６は、変位端４１ｂが上端位置に位置する状態を示している。図３，５に示すように、変位端４１ｂが上下に変位するとき、ハンドル４１は支軸４２回りに回動する。
【００４０】
図３〜６に示すように変位端４１ｂの下方には、スイッチ４４（リミットスイッチ）が設けられている。設置検知手段４０は、主として変位端４１ｂとスイッチ４４によって構成されている。変位端４１ｂの後端には、ばね保持部４１ｄが張り出している。ばね保持部４１ｄの上面とハウジング２の上端部の下面との間には、圧縮ばね４５が保持されている。圧縮ばね４５は、ばね保持部４１ｄを有する変位端４１ｂを下向きに付勢している。図３，４に示すように、エアコンプレッサ１を設置面Ｆに設置している場合、変位端４１ｂは、圧縮ばね４５に付勢されて下端位置に位置している。図５，６に示すように、使用者がハンドル４１を把持して、あるいはベルト取付部４１ｅに取り付けた肩掛けベルト４６を肩に掛けてエアコンプレッサ１を持ち運んでいる場合、変位端４１ｂは、圧縮ばね４５の付勢力に抗して下端位置より上方に変位する。
【００４１】
スイッチ４４の上部には、板状の検知部４４ａが設けられている。検知部４４ａは、前端を中心としてスイッチ４４に対して回動可能に支持されている。検知部４４ａの後部下側には、プランジャ４４ｂが設けられている。プランジャ４４ｂは、下向きに押し込むことができ、押し込み部分が上向きに付勢されている。図４に示すように、変位端４１ｂが下端位置に位置している場合、検知部４４ａは、変位端４１ｂの下面と当接してプランジャ４４ｂを下向きに押し込む。プランジャ４４ｂが押し込まれている状態では、スイッチ４４はオン状態を検知する。図６に示すように、変位端４１ｂが下端位置より上方に位置している場合、検知部４４ａは、変位端４１ｂの下面から離間するためプランジャ４４ｂの押し込みを止める。プランジャ４４ｂが押し込まれていない状態では、スイッチ４４はオフ状態を検知する。
【００４２】
従って、図３に示すように、エアコンプレッサ１を設置面Ｆに設置している場合、スイッチ４４は、設置状態（オン状態）を検知する。図５に示すように、使用者がハンドル４１を把持して、あるいはベルト取付部４１ｅに取り付けた肩掛けベルト４６を肩に掛けてエアコンプレッサ１を持ち運んでいる場合、スイッチ４４は、非設置状態（オフ状態）を検知する。エアコンプレッサ１は、スイッチ４４がオフ状態を検知している場合に、エアコンプレッサ１としての機能を停止させる構成を１つ以上備えている。ここで、エアコンプレッサ１としての機能とは、バッテリ１３から電源制御部１０を介して電動モータ１６へと電源供給する機能や、コントローラ１４が電動モータ１６を制御する機能や、電動モータ１６の駆動によって圧縮エア生成部２０において圧縮エアを生成する機能や、生成した圧縮エアをタンク４に貯留する機能や、タンク４に貯留された圧縮エアを圧縮エア供給部３０を介して外部のエア工具に送る供給機能といった、バッテリ１３から電源供給を受けて外部のエア工具に圧縮エアが供給されるまでの一連の機能を含むものであり、これらのうち一部若しくは一つの機能を停止させることにより、エアコンプレッサ１としての機能を停止させることができる。
【００４３】
エアコンプレッサ１としての機能を停止させる構成の１つは、電動モータ１６の回転を止める構成である。図５に示すスイッチ４４は、図５に示すコントローラ１４に電気的に接続されている。スイッチ４４がオフ状態を検知すると、コントローラ１４が電動モータ１６を停止させる。これにより、ピストン２４の上下往復動が停止して、圧縮エア生成部２０での圧縮エアの生成が停止される。
【００４４】
エアコンプレッサ１としての機能を停止させる構成の１つは、バッテリ１３から電動モータ１６への電源供給を遮断する構成である。図５に示すスイッチ４４は、図５に示す電源制御部１０とコントローラ１４に電気的に接続されている。スイッチ４４がオフ状態を検知すると、バッテリ１３から電動モータ１６への電源供給を遮断しながら、電源制御部１０の供給状態をオフ状態に切り替える。これにより、電動モータ１６の回転とピストン２４の上下往復動が停止して、圧縮エア生成部２０での圧縮エアの生成が停止される。また、エアコンプレッサ１を再び設置面Ｆに置く設置状態になった場合に、電源制御部１０の供給状態はオフ状態に維持される。従って、非設置状態のエアコンプレッサ１を再び設置面Ｆに置く場合の不用意な圧縮エア生成部２０での圧縮エアの生成が停止される。この場合、再度押しボタン１１を押し操作して圧縮エア生成部２０を再起動させることにより圧縮エアの生成が再開される。
【００４５】
エアコンプレッサ１としての機能を停止させる構成の１つは、電磁バルブ５１を開いて排出管５２からタンク４内の圧縮エアを大気放出させる構成である。図５に示す電磁バルブ５１は、図５に示すバッテリ１３とコントローラ１４に電気的に接続されている。スイッチ４４がオフ状態を検知している場合、バッテリ１３から電磁バルブ５１へと電力が供給され、電磁バルブ５１は開く。スイッチ４４がオン状態を検知している場合、バッテリ１３から電磁バルブ５１への電力供給が停止され、電磁バルブ５１は閉じる。これにより、非設置状態においてタンク４内の圧縮エアは圧縮エア供給部３０に供給されずに排出管５２から大気放出される。
【００４６】
報知手段５５によって使用者に、エアコンプレッサ１の非設置状態が報知され、また、エアコンプレッサ１としての機能が停止していることが報知される。図５に示すように報知手段５５は、例えばコントローラ１４に内装されたブザーである。スイッチ４４がオフ状態を検知すると、報知手段５５から音が発生する。これにより、エアコンプレッサ１が設置面Ｆから離間している非設置状態であることと、エアコンプレッサ１としての機能が停止していることを使用者に知らせることができる。
【００４７】
以上説明したエアコンプレッサ１によれば、使用者がハンドル４１を把持して、あるいはベルト取付部４１ｅに取り付けた肩掛けベルト４６を肩に掛けてエアコンプレッサ１を設置面Ｆから持ち上げ、若しくは持ち運んでいる場合、スイッチ４４は、エアコンプレッサ１が非設置面Ｆに対して非設置状態であることを検知する。スイッチ４４が非設置状態（オフ状態）を検知している場合、エアコンプレッサ１としての機能が停止される。これにより、圧縮エア生成部２０や圧縮エア供給部３０の不用意な動作や、接続した外部のエア工具の不用意な動作等が防止される。
【００４８】
また、エアコンプレッサ１によれば、スイッチ４４が非設置状態を検知している場合、コントローラ１４によって電動モータ１６の回転が停止される。これにより、ピストン２４の上下往復動が停止して、圧縮エア生成部２０での圧縮エアの生成が停止される。従って、エアコンプレッサ１としての機能が停止される。
【００４９】
また、エアコンプレッサ１によれば、スイッチ４４が非設置状態を検知している場合、バッテリ１３から電動モータ１６への電源供給を遮断される。これにより、モータ軸１６ａの回転とピストン２４の上下往復動が停止して、圧縮エア生成部２０での圧縮エアの生成が停止される。従って、エアコンプレッサ１としての機能が停止される。
【００５０】
また、エアコンプレッサ１によれば、スイッチ４４が非設置状態を検知している場合、コントローラ１４の制御によってバッテリ１３から電磁バルブ５１へと電力が供給されて電磁バルブ５１が開かれる。これにより、タンク４内の圧縮エアが排出管５２から大気放出される。従って、エアコンプレッサ１としての機能が停止される。
【００５１】
また、エアコンプレッサ１によれば、スイッチ４４が非設置状態を検知している場合、報知手段５５が使用者に非設置状態を知らせる。報知手段５５は、例えばブザーであり、音を発生させて使用者に非設置状態を知らせる。これにより、エアコンプレッサ１として機能可能であるか不能であるかについて、使用者に容易に知らせることができる。エアコンプレッサ１の設置状態について使用者が容易に確認することができる。
【００５２】
また、コンプレッサ１によれば、設置検知手段４０は、特に使用者によるエアコンプレッサ１の持ち運び時に把持されるハンドル４１に掛かる力の状態（ハンドル４１に掛かる力の有無）を検知することで、エアコンプレッサ１の設置状態または非設置状態を判別する。従って、ハンドル４１を把持する力やベルト取付部４１ｅに取付けられた肩掛けベルト４６からハンドル４１に掛かる力の状態から設置状態または非設置状態を判別する。これにより、設置状態または非設置状態を比較的精度良く検知することができる。
【００５３】
また、エアコンプレッサ１によれば、スイッチ４４は、ハンドル４１に掛かる力の状態の変化を示すハンドル４１の変位端４１ｂの変位を検知することで、エアコンプレッサ１の設置状態または非設置状態を検知する。従って、機械的作用を基にエアコンプレッサ１の設置状態または非設置状態を判別できるため、よりシンプルな構成で比較的精度良く検知することができる。
【００５４】
また、エアコンプレッサ１によれば、ハンドル４１は、前部において支軸４２によって上下方向に傾動可能に支持され、後部において変位端４１ｂが設けられている。スイッチ４４は、変位端４１ｂの上下方向の変位を検知することで、エアコンプレッサ１の設置状態または非設置状態を検知する。従って、ハンドル４１は、エアコンプレッサ１を支持する強度を保ちつつ、設置検知手段４０を備えることができる。また、変位端４１ｂが下端位置より上方にある場合、すなわち、エアコンプレッサ１を持ち上げる途中段階や設置面に降ろす途中段階も含めて非設置状態として検知することができる。
【００５５】
また、エアコンプレッサ１によれば、前後一対のベルト取付部４１ｅに肩掛けベルト４６を取り付けた状態で、肩掛けベルト４６を肩に掛けてエアコンプレッサ１を持ち運びする場合でも、ハンドル４１に設けられた設置検知手段４０をそのまま機能させることができる。
【００５６】
また、エアコンプレッサ１によれば、スイッチ４４が非設置状態を検知している場合、電源制御部１０によるバッテリ１３からの電源供給状態がオフ状態に切り替えられる。これにより、電動モータ１６の回転とピストン２４の上下往復動が停止して、圧縮エア生成部２０での圧縮エアの生成が停止される。従って、エアコンプレッサ１としての機能が停止される。また、エアコンプレッサ１を非設置状態から再び設置状態にする場合に、電源制御部１０はオフ状態のままである。従って、非設置状態のエアコンプレッサ１を再び設置状態にする場合の不用意な圧縮エア生成部２０での圧縮エアの生成が抑制される。
【００５７】
次に、本発明の第２実施形態を図７〜１１に基づいて説明する。第２実施形態の定置式のエアコンプレッサ６０は、第１実施形態のエアコンプレッサ１のハウジング２とハンドル４１と設置検知手段４０に代えて、ハウジング６１とハンドル６２と設置検知手段６５を備えている。設置検知手段６５は、ハウジング６１の底部に設けられている。ハンドル６２は、上下方向に回動する構成を有さずに支軸４２と支軸４３を介してハウジング２に変位不能に支持されている。ハンドル６２の前部と後部には、図３に示す肩掛けベルト４６等を取り付け可能なベルト取付部６２ａがそれぞれ１つずつ設けられている。
【００５８】
図７〜９に示すようにハウジング６１の底部の略中央には、検知部材６６が下方に突出して設けられている。検知部材６６は、上下方向に延びる略円柱状の軸部６６ｂと、軸部６６ｂの下側に設けられて下面が略水平である当接部６６ｃを備えている。軸部６６ｂは、ハウジング６１の底部を上下方向に移動可能に貫通している。軸部６６ｂには、棒状の抜け止め部材６９が左右方向に延びた姿勢で貫通している。抜け止め部材６９の両端は、軸部６６ｂの左右それぞれに突出している。抜け止め部材６９は、ハウジング６１の内側（底部の上側）において軸部６６ｂに挿入されている。そのため、図１０，１１に示すように、抜け止め部材６９は、軸部６６ｂがハウジング６１の底部から抜け落ちることを規制している。
【００５９】
図９に示すように、ハウジング６１の底部の軸部６６ｂが挿入される部分の周囲には、下向きに開口した溝形状のばね保持部６１ａが設けられている。当接部６６ｃの上面には、上向きに開口した溝形状のばね保持部６６ａが設けられている。ばね保持部６１ａとばね保持部６６ａの間には、圧縮ばね６８が取り付けられている。検知部材６６は、圧縮ばね６８によってハウジング６１に対して下向きに付勢されている。
【００６０】
図８，９に示すように、エアコンプレッサ６０を設置面Ｆに設置している場合、検知部材６６は、当接部の下面と設置面Ｆが当接する（設置面Ｆに対して一定以下の距離に近接している）ことで圧縮ばね６８の付勢力に抗して上端位置に位置している。図１０，１１に示すように、使用者がハンドル６２を把持して、あるいはベルト取付部６２ａに取り付けた肩掛けベルトを肩に掛けてエアコンプレッサ６０を設置面Ｆから持ち上げた場合、検知部材６６は、圧縮ばね６８に付勢されて抜け止め部材６９で抜け止めされる下端位置に位置している。
【００６１】
図８に示すように軸部６６ｂの後方には、スイッチ６７（リミットスイッチ）が設けられている。スイッチ６７は、例えばハウジング６１に固定されている。設置検知手段６５は、主として検知部材６６とスイッチ６７によって構成されている。スイッチ６７の前部には、軸部６６ｂと当接可能である板状の検知部６７ａが設けられている。検知部６７ａは、下端を中心としてスイッチ６７に対して回動可能に支持されている。検知部６７ａの上部後側には、プランジャ６７ｂが設けられている。プランジャ６７ｂは、後向きに押し込むことができ、押し込み部分が前向きに付勢されている。図８に示すように、検知部材６６が上端位置に位置している場合、検知部６７ａは、軸部６６ｂと当接してプランジャ６７ｂを後向きに押し込む。プランジャ６７ｂが押し込まれている状態では、スイッチ６７はオン状態を検知する。図１０に示すように、検知部材６６が上端位置より下方に位置している場合、検知部６７ａは、軸部６６ｂから離間するためプランジャ６７ｂの押し込みを止める。プランジャ６７ｂが押し込まれていない状態では、スイッチ６７はオフ状態を検知する。
【００６２】
従って、図８に示すように、エアコンプレッサ６０を設置面Ｆに設置している場合、スイッチ６７は、設置状態（オン状態）を検知する。図１０に示すように、使用者がハンドル６２を把持して、あるいはベルト取付部６２ａに取り付けた肩掛けベルトを肩に掛けてエアコンプレッサ６０を設置面Ｆから持ち上げ、若しくは持ち運んでいる場合、スイッチ６７は、非設置状態（オフ状態）を検知する。エアコンプレッサ６０は、スイッチ６７がオフ状態を検知している場合に、エアコンプレッサ６０としての機能を停止させる構成を１つ以上備えている。エアコンプレッサ６０としての機能は、第１実施形態に係るエアコンプレッサ１としての機能と同様に、バッテリ１３から電源供給を受けて外部のエア工具に圧縮エアが供給されるまでの一連の機能を含むものであり、これらのうち一部若しくは一つの機能を停止させることにより、エアコンプレッサ６０としての機能を停止させることができる。エアコンプレッサ６０としての機能を停止させる構成は、第１実施形態に係るエアコンプレッサ１が備える構成と同様のものである。
【００６３】
以上説明したエアコンプレッサ６０によれば、検知部材６６の設置面Ｆに対する当接、離間により発生する変位がスイッチ６７によって検知されて、設置状態（オン状態）若しくは非設置状態（オフ状態）の判別がなされる。スイッチ６７が非設置状態（オフ状態）を検知している場合、エアコンプレッサ６０としての機能が停止される。これにより、圧縮エア生成部２０や圧縮エア供給部３０の不用意な動作や、接続した外部のエア工具の不用意な動作等が防止される。
【００６４】
以上説明した第１，第２実施形態のエアコンプレッサ１，６０には様々な変更を加えることができる。例えば、上記したエアコンプレッサ１，６０としての機能を停止させる複数の構成は、単独であるいは適宜組み合わせて用いることができる。着脱式のバッテリ１３とバッテリ取付部１２に代えて、内蔵式のバッテリを備える構成としてもよい。ハンドル４１の変位端４１ｃの変位を検知する設置検知手段４０に代えて、例えばハンドル４１の内側下面に圧力センサを配置してハンドル４０に把持する力が掛かったことを検知する設置検知手段を備える構成としてもよい。設置検知手段の配置箇所は、例示した箇所に限らず、例えばハンドル４１の前端部に設置検知手段を備える構成としてもよい。回動式のハンドル４１に代えて、例えばハンドル４１全体がハウジング２に対して略平行に変位可能である構成としてもよい。一体に形成されたハンドル４１に代えて、例えば使用者が把持する部分が上下分割構造に形成されたハンドルを用いた設置検知手段を備える構成としてもよい。当該設置検知手段においては、例えば持ち上げ時に下側の把持部が上側の把持部に接近する（上方変位する）ことによって非設置状態を検知する。
【００６５】
電磁バルブ５１を備える圧縮エア放出手段５０に代えて、変位端４１ｂや検知部材６６の変位が機械的に伝達されてバルブを開く圧縮エア放出手段を用いてもよい。あるいは、圧縮エア放出手段５０に代えて、例えば検知部材６６そのものが、設置状態ではタンク４を封止する弁の役割を有し、非設置状態ではタンク４内の圧縮エアを開放する構成であってもよい。報知手段５５は、音で知らせるブザー等に代えて、例えば視覚的に知らせる光源等であってもよい。
【００６６】
検知部材６６の変位を検知する設置検知手段６５に代えて、例えば検知部材６６の当接部６６ｃの下面に圧力センサを配置して、設置面Ｆに設置することによる当接部６６ｃの下面に掛かる圧力を検知する設置検知手段を備える構成としてもよい。検知部材６６の設置部６６ｃが設置面Ｆに当接していることを検知する設置検知手段６５に代えて、例えばハウジング２の下面と設置面Ｆとの距離を検知する設置検知手段を備える構成としてもよい。当該設置検知手段においては、例えばハウジング２の下面が設置面Ｆから一定以下の距離に近接していることを検知することで設置状態を検知し、ハウジング２の下面が設置面Ｆから一定以上の距離で離間していることを検知することで非設置状態を検知する。
【符号の説明】
【００６７】
１…エアコンプレッサ（第１実施形態）
２…ハウジング
３…脚部
４…タンク
５…圧力センサ
６…ドレンコック、６ａ…ドレン排出口
１０…電源制御部
１１…押しボタン
１２…バッテリ取付部
１３…バッテリ
１４…コントローラ
１５…モータハウジング
１６…電動モータ、１６ａ…モータ軸、１６ｂ…駆動ギヤ、１６ｃ…冷却ファン
１７…ギヤハウジング
１８…減速部、１８ａ…出力軸、１８ｂ…従動ギヤ
２０…圧縮エア生成部
２１…クランクハウジング
２２…クランク円板、２２ａ…クランク軸
２３…クランクロッド
２４…ピストン
２５…シリンダ
２６…通気管
３０…圧縮エア供給部
３１…圧力調整部
３２…圧力調整ダイヤル
３３…メータ
３４…吐出口
４０…設置検知手段
４１…ハンドル、４１ａ…軸孔、４１ｂ…変位端、４１ｃ…縦長軸孔
４１ｄ…ばね保持部、４１ｅ…ベルト取付部
４２…支軸
４３…支軸
４４…スイッチ、４４ａ…検知部、４４ｂ…プランジャ
４５…圧縮ばね
４６…肩掛けベルト
５０…圧縮エア放出手段
５１…電磁バルブ
５２…排出管
５５…報知手段
６０…エアコンプレッサ（第２実施形態）
６１…ハウジング、６１ａ…ばね保持部
６２…ハンドル、６２ａ…ベルト取付部
６５…設置検知手段
６６…検知部材、６６ａ…ばね保持部、軸部…６６ｂ、当接部…６６ｃ
６７…スイッチ、６７ａ…検知部、６７ｂ…プランジャ
６８…圧縮ばね
６９…抜け止め部材
Ｆ…設置面
【図１】
2020033969.tif 000003
【図２】
2020033969.tif 000004
【図３】
2020033969.tif 000005
【図４】
2020033969.tif 000006
【図５】
2020033969.tif 000007
【図６】
2020033969.tif 000008
【図７】
2020033969.tif 000009
【図８】
2020033969.tif 000010
【図９】
2020033969.tif 000011
【図１０】
2020033969.tif 000012
【図１１】
2020033969.tif 000013